(57)【要約】【課題】  物理的なデータ改ざん不可能、データの復元、リアルタイム処理を保証とするファイル配置と言った従来の追記型光ディスクの機能を維持しつつ、追記型光ディスクにデータの上書きやデータ消去等の書き換え型光ディスク同様の使用環境を与えることを実現することである。【解決手段】  本発明の課題は、記録命令に対し、記録命令に含まれる論理アドレスに対応する物理アドレス領域が記録済であった場合、この記録命令に含まれる論理アドレスに対応する未記録の物理アドレスを新たに割り当て、記録処理を実行する追記型光ディスクの記録方法において、新たに割り当てられた物理アドレス領域に記録されるデータに、この論理アドレスに対する物理アドレスが変更されたことを示す情報を含ませて記録する追記型光ディスク記録方法により達成される【選択図】図１
2006024298.tif 000002
【特許請求の範囲】
【請求項１】
追記型光ディスクの物理アドレスに対応する論理アドレスを含む記録命令に対し、該記録命令に含まれる論理アドレスに対応する物理アドレスが示す追記型光ディスク上の記録領域が記録済であった場合、該記録命令に含まれる論理アドレスに対応する未記録の記録領域を示す物理アドレスを新たに割り当てて、該新たに割り当てられた物理アドレスが示す記録領域に記録処理を実行する追記型光ディスクの記録方法において、
前記新たに割り当てられた物理アドレスが示す記録領域に記録されるデータは前記論理アドレスに対応する物理アドレスが変更されたことを示す情報を含むことを特徴とする記録方法。
【請求項２】
請求項１記載の追記型光ディスクの記録方法において、
前記論理アドレスに対応する物理アドレスが変更されたことを示す情報は、前記論理アドレスに対応する物理アドレスが変更される前の物理アドレスを示すことを特徴とする記録方法。
【請求項３】
請求項１記載の追記型光ディスクの記録方法において、
前記論理アドレスに対応する物理アドレスが変更されたことを示す情報は、前記論理アドレスに対応する物理アドレスが変更された回数を示すことを特徴とする記録方法。
【請求項４】
請求項１記載の追記型光ディスク記録方法において、
追記型光ディスクの物理アドレスに対応する論理アドレスを含む上書き取り消し命令に対し、該論理アドレスに対応する物理アドレスが変更されたことを示す情報を用いて、該上書き取り消し命令に含まれる論理アドレスに該論理アドレスに対応する物理アドレスが変更される前の物理アドレスを再び割り当てることを特徴とする記録方法。
【請求項５】
請求項１記載の追記型光ディスク記録方法において、
追記型光ディスクの物理アドレスに対応する論理アドレスを含む上書き取り消し命令に対し、前記論理アドレスに対応する物理アドレスが変更されたことを示す情報を用いて、前記論理アドレスに対応する物理アドレスが変更される前の物理アドレスが示す記録領域に記録されたデータを再生処理し、前記上書き取り消し命令に含まれる論理アドレスに対応する未記録の記録領域を示す物理アドレスを新たに割り当て、該新たに割り当てられた物理アドレスが示す記録領域に記録処理を実行することを特徴とする記録方法。
【請求項６】
追記型光ディスクの記録方法において、
追記型光ディスクの物理アドレスに対応する論理アドレスを含む上書き命令に対し、該上書き命令に含まれる論理アドレスに対応する物理アドレスが示す追記型光ディスク上の記録領域が記録済であった場合、該上書き命令に含まれる論理アドレスに対応する未記録の記録領域を示す物理アドレスを新たに割り当てて、該新たに割り当てられた物理アドレスが示す記録領域に記録処理を実行することを特徴とする記録方法。
【請求項７】
追記型光ディスクの記録方法において、
追記型光ディスクの物理アドレスに対応する論理アドレスを含む消去命令に対し、該消去命令に含まれる論理アドレスに対応する物理アドレスが示す追記型光ディスク上の記録領域が記録済であった場合、該消去命令に含まれる論理アドレスに対応する未記録の記録領域を示す物理アドレスを新たに割り当てることを特徴とする記録方法。
【請求項８】
追記型光ディスクの記録方法において、
追記型光ディスクの物理アドレスに対応する論理アドレスを含む物理アドレス強制再割り当て記録命令に対し、該物理アドレス強制再割り当て記録命令に含まれる論理アドレスに対応する物理アドレスが示す追記型光ディスク上の記録領域の記録済／未記録の状態に関わらず、該物理アドレス強制再割り当て記録命令に含まれる論理アドレスに対応する未記録の記録領域を示す物理アドレスを新たに割り当てて、該新たに割り当てられた物理アドレスが示す記録領域に記録処理を実行することを特徴とする記録方法。
【請求項９】
追記型光ディスクの物理アドレスに対応する論理アドレスを含む記録命令に対し、該記録命令に含まれる論理アドレスに対応する物理アドレスが示す追記型光ディスク上の記録領域が記録済であった場合、該記録命令に含まれる論理アドレスに対応する未記録の記録領域を示す物理アドレスを新たに割り当てて、該新たに割り当てられた物理アドレスが示す記録領域に記録処理を実行する追記型光ディスクの記録方法において、
前記追記型光ディスクは各論理アドレスに対し、未記録の記録領域を示す物理アドレスの新たな割り当てを許可するか否かを示す情報を含むことを特徴とする記録方法。
【請求項１０】
追記型光ディスクの記録方法において、
追記型光ディスクの物理アドレスに対応する論理アドレス及びリアルタイム記録処理の要否を示す情報を含む記録命令に対し、該記録命令に含まれる論理アドレスに対応する物理アドレスが示す追記型光ディスク上の記録領域が記録済であり、該記録命令に含まれるリアルタイム記録処理の要否を示す情報がリアルタイム記録処理を要求していない場合、該記録命令に含まれる論理アドレスに対応する未記録の記録領域を示す物理アドレスを新たに割り当てて、該新たに割り当てられた物理アドレスが示す記録領域に記録処理を実行し、該記録命令に含まれる論理アドレスに対応する物理アドレスが示す追記型光ディスク上の記録領域が記録済であり、該記録命令に含まれるリアルタイム記録処理の要否を示す情報がリアルタイム記録処理を要求している場合、該記録命令に含まれる論理アドレスに対応する未記録の記録領域を示す物理アドレスを新たに割り当てて、該論理アドレスに対する記録処理を中止することを特徴とする記録方法。
【請求項１１】
上位装置から入出力端子を介して各種命令及びデータを受け取り、記録装置の動作管理を行う制御マイコンの指示に応じて、上位装置とのインターフェース回路、符号化処理を行う記録再生信号処理回路、レーザダイオードを搭載する光ヘッドを介して、追記型光ディスクに符号化処理後のデータを記録するデータ記録装置において、
追記型光ディスクの物理アドレスに対応する論理アドレスを含む記録命令に対し、該記録命令に含まれる論理アドレスに対応する物理アドレスが示す追記型光ディスク上の記録領域が記録済であった場合、該記録命令に含まれる論理アドレスに対応する未記録の記録領域を示す物理アドレスを新たに割り当てて、該論理アドレスに対応する物理アドレスが変更されたことを示す情報を付加した該符号化処理後のデータを該新たに割り当てられた物理アドレスが示す記録領域に記録することを特徴とする記録装置。
【請求項１２】
請求項１１記載の追記型光ディスクの記録装置において、
前記論理アドレスに対応する物理アドレスが変更されたことを示す情報は、該論理アドレスに対応する物理アドレスが変更される前の物理アドレスを示すことを特徴とする記録装置。
【請求項１３】
請求項１１記載の追記型光ディスクの記録装置において、
前記論理アドレスに対応する物理アドレスが変更されたことを示す情報は、該論理アドレスに対応する物理アドレスが変更された回数を示すことを特徴とする記録装置。
【請求項１４】
請求項１１記載の追記型光ディスク記録装置において、
追記型光ディスクの物理アドレスに対応する論理アドレスを含む上書き取り消し命令に対し、前記論理アドレスに対応する物理アドレスが変更されたことを示す情報を用いて、該上書き取り消し命令に含まれる論理アドレスに該論理アドレスに対応する物理アドレスが変更される前の物理アドレスを再び割り当てることを特徴とする記録装置。
【請求項１５】
請求項１１記載の追記型光ディスク記録装置において、
追記型光ディスクの物理アドレスに対応する論理アドレスを含む上書き取り消し命令に対し、該論理アドレスに対応する物理アドレスが変更されたことを示す情報を用いて、該論理アドレスに対応する物理アドレスが変更される前の物理アドレスが示す記録領域に記録されたデータを再生処理し、該上書き取り消し命令に含まれる論理アドレスに対応する未記録の記録領域を示す物理アドレスを新たに割り当て、該論理アドレスに対応する物理アドレスが変更されたことを示す情報を付加した該符号化処理後のデータを該新たに割り当てられた物理アドレスが示す記録領域に記録することを特徴とする記録装置。
【請求項１６】
上位装置から入出力端子を介して各種命令及びデータを受け取り、記録装置の動作管理を行う制御マイコンの指示に応じて、上位装置とのインターフェース回路、符号化処理を行う記録再生信号処理回路、レーザダイオードを搭載する光ヘッドを介して、追記型光ディスクに符号化処理後のデータを記録するデータ記録装置において、
追記型光ディスクの物理アドレスに対応する論理アドレスを含む上書き命令に対し、該上書き命令に含まれる論理アドレスに対応する物理アドレスが示す追記型光ディスク上の記録領域が記録済であった場合、該上書き命令に含まれる論理アドレスに対応する未記録の記録領域を示す物理アドレスを新たに割り当てて、該新たに割り当てられた物理アドレスが示す記録領域に該符号化処理後のデータを記録することを特徴とする記録装置。
【請求項１７】
上位装置から入出力端子を介して各種命令及びデータを受け取り、記録装置の動作管理を行う制御マイコンの指示に応じて、上位装置とのインターフェース回路、符号化処理を行う記録再生信号処理回路、レーザダイオードを搭載する光ヘッドを介して、追記型光ディスクに符号化処理後のデータを記録するデータ記録装置において、
追記型光ディスクの物理アドレスに対応する論理アドレスを含む消去命令に対し、該消去命令に含まれる論理アドレスに対応する物理アドレスが示す追記型光ディスク上の記録領域が記録済であった場合、該消去命令に含まれる論理アドレスに対応する未記録の記録領域を示す物理アドレスを新たに割り当てることを特徴とする記録装置。
【請求項１８】
上位装置から入出力端子を介して各種命令及びデータを受け取り、記録装置の動作管理を行う制御マイコンの指示に応じて、上位装置とのインターフェース回路、符号化処理を行う記録再生信号処理回路、レーザダイオードを搭載する光ヘッドを介して、追記型光ディスクに符号化処理後のデータを記録するデータ記録装置において、
追記型光ディスクの物理アドレスに対応する論理アドレスを含む物理アドレス強制再割り当て記録命令に対し、該物理アドレス強制再割り当て記録命令に含まれる論理アドレスに対応する物理アドレスが示す追記型光ディスク上の記録領域の記録済／未記録の状態に関わらず、該物理アドレス強制再割り当て記録命令に含まれる論理アドレスに対応する未記録の記録領域を示す物理アドレスを新たに割り当てて、該新たに割り当てられた物理アドレスが示す記録領域に該符号化処理後のデータを記録することを特徴とする記録装置。
【請求項１９】
上位装置から入出力端子を介して各種命令及びデータを受け取り、記録装置の動作管理を行う制御マイコンの指示に応じて、上位装置とのインターフェース回路、符号化処理を行う記録再生信号処理回路、レーザダイオードを搭載する光ヘッドを介して、追記型光ディスクに符号化処理後のデータを記録するデータ記録装置において、
追記型光ディスクの物理アドレスに対応する論理アドレスを含む記録命令に対し、該記録命令に含まれる論理アドレスに対応する物理アドレスが示す追記型光ディスク上の記録領域が記録済であった場合、該記録命令に含まれる論理アドレスに対応する未記録の記録領域を示す物理アドレスを新たに割り当てて、該新たに割り当てられた物理アドレスが示す記録領域に該符号化処理後のデータを追記型光ディスクに記録するものであり、該追記型光ディスクは各論理アドレスに対し、未記録の記録領域を示す物理アドレスの新たな割り当てを許可するか否かを示す情報を含むことを特徴とする記録装置。
【請求項２０】
上位装置から入出力端子を介して各種命令及びデータを受け取り、記録装置の動作管理を行う制御マイコンの指示に応じて、上位装置とのインターフェース回路、符号化処理を行う記録再生信号処理回路、レーザダイオードを搭載する光ヘッドを介して、追記型光ディスクに符号化処理後のデータを記録するデータ記録装置において、
追記型光ディスクの物理アドレスに対応する論理アドレス及びリアルタイム記録処理の要否を示す情報を含む記録命令に対し、該記録命令に含まれる論理アドレスに対応する物理アドレスが示す追記型光ディスク上の記録領域が記録済であり、該記録命令に含まれるリアルタイム記録処理の要否を示す情報がリアルタイム記録処理を要求していない場合、該記録命令に含まれる論理アドレスに対応する未記録の記録領域を示す物理アドレスを新たに割り当てて、該新たに割り当てられた物理アドレスが示す記録領域に該符号化処理後のデータを記録し、該記録命令に含まれる論理アドレスに対応する物理アドレスが示す追記型光ディスク上の記録領域が記録済であり、該記録命令に含まれるリアルタイム記録処理の要否を示す情報がリアルタイム記録処理を要求している場合、該記録命令に含まれる論理アドレスに対応する未記録の記録領域を示す物理アドレスを新たに割り当てて、該論理アドレスに対する記録処理を中止することを特徴とする記録装置。
【発明の詳細な説明】
【技術分野】
【０００１】
本発明は記録媒体にデジタルデータを記録するための記録技術に関するものである。
【背景技術】
【０００２】
記録媒体にデジタルデータを記録、再生する装置の一例として、国際標準規格として非特許文献１などに規定されたＤＶＤ−ＲＡＭの記録再生装置が挙げられる。
【０００３】
ディスクが挿入されたり、電源が投入されたりすると、まず、記録再生装置は、リードイン及びリードアウトに配置される欠陥管理情報エリア（ＤＭＡ）など記録内容を検査して、ＤＶＤ−ＲＡＭが物理フォーマット済みであるかどうか調べる。物理フォーマットされていない場合には、上位装置やユーザなどから物理フォーマットの指示があるまで待機する。
【０００４】
ＤＶＤ−ＲＡＭが物理フォーマット済み場合、記録再生装置は、較正処理や論理整合性検証などの記録準備処理を行った後、ユーザや上位装置からの指示待ち状態となる。記録再生装置は何らかの“命令”を受け取ると、その種類を調べ、それが記録命令である場合には、ユーザデータの記録処理を行い、再生・フォーマット・ディスク取出しなどの命令の場合はそれぞれ対応した処理を行う。通常これらの処理は正常に終了するが、極稀に予期できない理由で処理が通常通りに終了できない場合がある。例えば、光ディスクがユーザエリア内に欠陥を含み、ユーザデータの記録に失敗した場合には、リトライ処理や交替処理などのエラー処理を行う。
【０００５】
通常ＤＶＤ−ＲＡＭの記録再生装置では、ユーザデータの記録処理の際、記録後に正常に記録できたかどうかを実際に再生して確認し、必要に応じてユーザエリアの替わりにスペアエリアにユーザデータを配置する交替処理を行うことで光ディスクの信頼性を高めている。一般にリードアウト隣に配置されるスペアエリアはリードアウト側からリードイン側の方向に向かい、連続的に使用される。これは光ディスク使用中に発生する欠陥の数に応じて、スペアエリアのサイズを拡大縮小可能とするためである。
【０００６】
この交替処理の結果を示すユーザエリアとスペアエリアのアドレスの対応情報は、ＤＭＡに欠陥リスト（ＤＬ）として記録するように非特許文献１では規格化されている。
【０００７】
また特許文献１に追記型記録ディスクの記録データ完全消去方法及びそれを実現するための装置に関する記載がある。
【０００８】
【特許文献１】特開２００２−２４５６３５号公報（〔００３８〕から〔００４３〕、図４）
【非特許文献１】「Standard ECMA-272: 120mm DVD Rewritable Disc (DVD-RAM)」ＥＣＭ６９９９年（第４３−５５頁）
【発明の開示】
【発明が解決しようとする課題】
【０００９】
図５は記録型光ディスクで一般的に行われている交替処理（Linear Replacement method）による欠陥管理を概略的に説明するためのディスクの図であり、光ディスクは目的に応じて各エリアに論理分割されていることを示す図である。簡易的に光ディスクはリードイン、データエリア、リードアウトに論理分割されているものとし、更にデータエリアは目的に応じてユーザエリアとスペアエリアに論理分割される。リードイン内の欠陥管理情報エリア（ＤＭＡ）には、論理分割された各エリアの開始アドレス等の論理構造に関する情報が含まれるＤＤＳ（Disc Definition Structure）、またユーザエリアとスペアエリアのアドレスの対応を示す複数のＤＬ（Defect List）からなるＤＬテーブルが記録される。またユーザエリア外周側に配置されるスペアエリアはリードアウトからリードインの方向に連続的に使用され、アドレスポインタＰによって次の交替位置が示される。
【００１０】
図６はＤＬテーブルを構成するＤＬを示す図である。各ＤＬにはユーザエリアの欠陥アドレス、交替処理によって割り当てられたスペアエリア内の交替アドレスが含まれる。図中、黒く塗りつぶされた場所はスペアエリア内の使用済エリアを示す。ポインタＰが示すアドレスＭはスペアエリア内の次の交替位置を示すアドレスである。つまりこの状態でユーザエリアのアドレスＮが欠陥と判断された場合、上位装置によりアドレスＮに配置されたユーザデータはスペアエリアのアドレスＭに記録される。ＤＬはこの情報を示すために“アドレスＮ”、“アドレスＭ”とその関係を示すステータスから構成され、ＤＬを重ね合わせてＤＬテーブルは構成される。従ってＤＬは交替処理の度にＤＬテーブルに追加されていくため、ＤＬが追加されると原則的にＤＬテーブルは拡大する。
【００１１】
図７は連続的に交替処理が発生した場合のＤＬを示す図である。
ユーザエリアのアドレスＮの記録エリアに欠陥があると判断された場合、アドレスＮに記録されるべきユーザデータはポインタＰが示すスペアエリアのアドレスＭに記録される。従って次にポインタＰはＭ−１を示し、ステータス、欠陥アドレス、交替アドレスに“置換”、“アドレスＮ”、“アドレスＭ”を含むＤＬがＤＬテーブルに登録される。続いてユーザエリアのアドレスＮ＋１に欠陥があると判断された場合、その交替位置としてアドレスＭ−１が割り当てられる。更に続くアドレスＮ＋２に欠陥があると判断されると、アドレスＭ−２が割り当てられる。しかしながら、スペアエリアのアドレスＭ−２が記録後すぐに欠陥であると判断された場合には、交替アドレスとしてＭ＋２を含むＤＬはＤＬテーブルから削除され、アドレスＮ＋２に記録されるべきユーザデータはスペアエリア内で次の交替位置のアドレスＭ−３に記録される。この結果得られるＤＬテーブルは図表のようになる。
【００１２】
近年、追記型光ディスクにこの欠陥管理方式を導入し、論理的にデータの上書きを可能にする機能を利用した追記型光ディスクの記録方式の提案が行われている。しかしながらこの記録方式を実現する具体的な光ディスク装置の動作を示す文献はない。
【００１３】
また、特許文献１記載の追記型光ディスクのデータ消去方法は対象となる記録済み領域に対して記録時の記録パワー、又は記録時より高い記録パワーでレーザービームを照射して上書きを行い、記録データを消去するものであり、上位装置が消去した論理アドレスが再度使用可能となるといった効果についての記載はない。
【００１４】
本発明の目的は、従来の追記型光ディスクの機能を維持しつつ、追記型光ディスクに書き換え型光ディスク同様の使用環境を与えることにある。
【課題を解決するための手段】
【００１５】
本発明の目的は、次の(１)から(３)により達成される。
（１）記録命令に対し、記録命令に含まれる論理アドレスに対応する物理アドレス領域が記録済であった場合、この記録命令に含まれる論理アドレスに対応する未記録の物理アドレスを新たに割り当て、記録処理を実行する追記型光ディスクの記録方法において、新たに割り当てられた物理アドレス領域に記録されるデータに、この論理アドレスに対する物理アドレスが変更されたことを示す情報を含ませて記録する追記型光ディスク記録方法。
（２）記録命令に対し、記録命令に含まれる論理アドレスに対応する物理アドレス領域が未記録であった場合、この物理アドレス領域に記録処理を実行し、記録命令に含まれる論理アドレスに対応する物理アドレス領域が記録済であった場合、記録処理を中止し、上書き命令に対し、上書き命令に含まれる論理アドレスに対応する物理アドレス領域が未記録であった場合、この物理アドレス領域に記録処理を実行し、上書き命令に含まれる論理アドレスに対応する物理アドレス領域が記録済であった場合、この記録命令に含まれる論理アドレスに対応する未記録の物理アドレスを新たに割り当て、記録処理を実行する追記型光ディスク記録方法。
（３）記録命令に対し、記録命令に含まれる論理アドレスに対応する物理アドレス領域が未記録であった場合、この物理アドレス領域に記録処理を実行し、記録命令に含まれる論理アドレスに対応する物理アドレス領域が記録済であった場合、記録処理を中止し、消去命令に対し、消去命令に含まれる論理アドレスに対応する物理アドレス領域が未記録であった場合、消去処理を中止し、消去命令に含まれる論理アドレスに対応する物理アドレス領域が記録済であった場合、この記録命令に含まれる論理アドレスに対応する未記録の物理アドレスを新たに割り当てる追記型光ディスク記録方法。
【発明の効果】
【００１６】
本発明は、物理的なデータ改ざん不可能と言った従来の追記型光ディスクの機能を維持しつつ、追記型光ディスクにデータの上書きやデータの消去と言った書き換え型光ディスク同様の使用環境を与えることにある。
【発明を実施するための最良の形態】
【００１７】
発明を実施するための形態の１つとして追記型光ディスク記録装置が挙げられる。
【００１８】
追記型光ディスク記録装置の構成は光ディスク、レーザダイオード及び光検出器を搭載する光ヘッド、記録のための符号化処理と再生のための復号化処理を行う記録再生信号処理回路、各ブロックの動作管理を行う制御マイコン、サーボ回路、ＲＡＭを含む上位装置とのインターフェース回路、上位装置と接続される入出力端子から構成される。
【００１９】
本発明の実施形態について図を用いて説明する。
【００２０】
先ず始めに本発明の説明で用いるデータのフォーマット及び記録再生装置の基本構造について図２から図４を用いて説明する。
【００２１】
図４に光ディスク記録再生装置の構成を示す。
【００２２】
図４中、４０１は光ディスク、４０２はレーザダイオード及び光検出器を搭載する光ヘッド、４０３は記録のための符号化処理と再生のための復号化処理を行う記録再生信号処理回路、４０４は各ブロックの動作管理を行う制御マイコン、４０５はサーボ回路、４０６はＲＡＭを含む上位装置とのインターフェース回路、４０７は入出力端子である。
【００２３】
再生時、光ディスク４０１に記録されているデータは、光ヘッド４０２から読み出され、記録再生信号処理回路４０３内で復号化処理が行われる。この復号化処理には、復調処理、誤り訂正処理、デ・スクランブル処理が含まれる。復号化処理が行われた後に得られたメインデータはインターフェース回路４０６内のＲＡＭに蓄えられた後、入出力端子４０７を介して外部のパソコンやＭＰＥＧボード等の上位装置（図示せず）などへ出力される。制御マイコン４０４は、上位装置などからの指令を受け、サーボ回路４０５を用いて光ディスク４０１の回転制御、光ヘッド４０３のフォーカス、トラッキング制御を行いながら指定された光ディスク４０１のデータの位置へのアクセスを行い、装置全体の再生制御する。
【００２４】
記録時は、入出力端子４０７を介して、外部の上位装置などからメインデータが入力される。入力されたメインデータは、インターフェース回路４０６内のＲＡＭに蓄えられた後、記録再生信号処理回路４０３により、スクランブル処理、誤り訂正符号化処理、変調処理などの符号化処理が行われた後、光ヘッド４０２を介して、光ディスク４０１へ書き込まれる。制御マイコン４０４は、上位装置などからの指令を受け、サーボ回路４０５を用いて指定された光ディスク４０１上の記録位置へのアクセスを行い、装置全体の記録制御を行う。
【００２５】
ここで取り扱われる記録時におけるデータの符号化過処理の詳細を図２及び図３を用いて説明する。
【００２６】
図２にデータフレームの構成方法を示す。
【００２７】
入出力端子４０７から入力される２０４８バイトからなる各メインデータには、データ識別のための４バイトのデータ識別コード（ＩＤ）と、ＩＤの誤り検出符号である２バイトのＩＥＤ、予備データエリアである６バイトのＲＳＶが付加される。このデータ列の最後部には、データに含まれる誤りを検出する４バイトの誤り検出符号ＥＤＣが付加され、全部で２０６４バイトのデータフレームを構成する。各データユニットは、１７２バイト１２行の形状で扱う。
【００２８】
図３にＥＣＣブロックの構成方法を示す。
【００２９】
本説明ではこのＥＣＣブロックを記録再生の単位と仮定する。
【００３０】
図２で示したように構成された１７２バイト１２行のデータフレームは、スクランブル処理が施された後、１６データフレーム単位でＥＣＣブロックを構成する。縦方向の各列には１６バイトの外符号（ＰＯ）が付けられる。そのためＥＣＣブロックは、１２行１６データフレーム分の１９２行のデータに１６行の外符号が付加され、２０８行となる。各行のデータに対して、１０バイトの内符号（ＰＩ）を付加し、１８２バイトのデータとする。
【００３１】
符号化処理時の記録再生信号処理回路４０３内ではこのように生成した１８２バイト２０８行のデータを生成した後、最後にデータに含まれる周波数成分を制限するための周波数変調が行われる。
【００３２】
従って、交替処理を行う記録再生装置では、ユーザデータの記録処理の際、データを記録した後、すぐにディスク上のデータを再生し、この再生データとＲＡＭに残るメインデータとを比較、または誤り訂正処理を行いて再生データに含まれるエラー数を検出し、データが正常に記録できたか確認する。結果正常に記録できなかったと判断される場合には、同位置への記録を繰り返し行い、最終的にこの位置では正常に記録できない、つまりこの位置は欠陥であると判断された場合にはスペアエリアにインターフェース回路４０６内のＲＡＭに残るユーザデータを記録する交替処理を行う。
【００３３】
また、光ディスク４０１が追記型光ディスクである場合には、上位装置から記録命令を受け取った際、記録命令に含まれるアドレスに対して再生信号を用いて未記録／記録済判定を記録前に行い、そのアドレスが未記録であった場合には記録を行うが、記録済であった場合には欠陥として取り扱い、スペアエリアへの交替処理を行う。
【００３４】
また、光ディスクの記録済領域を管理する方法として、ＤＬテーブルに登録されているアドレス、光ディスク上に記録されているセッション、トラック情報を用いる方法やスペースビットマップを用いる方法がある。これらの方法も本発明の未記録／記録済判定に利用することが可能である。
これらの交替処理は記録再生の単位であるＥＣＣブロックで行われる。
次にこの欠陥管理の説明に用いた図５、図６及び図７を基に本発明の具体的な手段について説明する。
図１に本発明を実現するデータフレームの構成、データフォーマットの一例を示す。
【００３５】
入出力端子４０７から入力される２０４８バイトからなる各メインデータには、データ識別のための４バイトのデータ識別コード（ＩＤ）と、ＩＤの誤り検出符号である２バイトのＩＥＤ、２バイトのカウンタと４バイトの交替前のアドレスが付加される。このデータ列の最後部には、データに含まれる誤りを検出する４バイトの誤り検出符号ＥＤＣが付加され、全部で２０６４バイトのデータフレームを構成する。
【００３６】
図１の２バイトのカウンタはこの論理アドレスが更新された数を示し、初回記録時、カウンタ値として０が記録され、その後、この論理アドレスにデータが記録、つまり仮想的に上書きが行われる度にカウンタ値は１づつ増えていく。従って、本カウンタ値はこの論理アドレスに上書きされた回数を示す。
【００３７】
図１の４バイトの交替前のアドレスはこの論理アドレスに対応する上書き処理前の物理アドレスを示し、初回記録時、アドレス値として０が記録され、その後、この論理アドレスにデータが記録、つまり上書きが行われる度に直前までこの論理アドレスに対応する物理アドレスとして使用された値に更新される。従って、本アドレス値はこの論理アドレスに対応する物理アドレスの履歴を残すために用いられる。
【００３８】
図８は追記型光ディスクで行われる交替処理による上書き処理を概略的に説明するためのディスクの図であり、合わせて上書き処理によるＤＬを示す図である。各ＤＬにはユーザエリアの欠陥アドレス、交替処理によって割り当てられたスペアエリア内の交替アドレスが含まれる。ただし、本処理におけるユーザエリアにおける欠陥アドレスは上位装置の命令に含まれ、上書き処理される論理アドレスに対応したユーザエリア内の元来の物理アドレスと言い換えることができる。図中、黒く塗りつぶされた場所はスペアエリア内の使用済エリアを示す。アドレスＭはスペアエリア内の次の交替位置を示すアドレスである。つまりこの状態ですでに記録済であるユーザエリアのアドレスＮにデータが記録される場合、上位装置によりアドレスＮに記録されるユーザデータはスペアエリアのアドレスＭに記録される。このときスペアエリア内に記録されたアドレスMのデータには図１で示したように初めてアドレスNに対する上書き処理が行われたことを示すカウンタ値として１が、また直前まで命令に含まれたこの論理アドレスに対応したアドレスとしてNが含まれる。ＤＬはこの情報を示すために“アドレスＮ”、“アドレスＭ”とその関係を示すステータス“交替”から新規に構成される。
【００３９】
図９は追記型光ディスクで行われる交替処理による上書き処理を概略的に説明するためのディスクの図であり、合わせて上書き処理によるＤＬを示す図である。図８が示す状態の後、再度ユーザエリアのアドレスＮにデータが記録される場合、上位装置によりアドレスＮに配置されたユーザデータはスペアエリアのアドレスLに記録される。このときスペアエリア内に記録されたアドレスLのデータには図１で示したように過去に２回アドレスNに対する上書き処理が行われたことを示すためカウンタ値として２が、また直前まで命令に含まれたこの論理アドレスに対応した光ディスク上の物理アドレスを示すMが含まれる。ＤＬはこの情報を示すために“アドレスＮ”、“アドレスM”とその関係を示すステータス“交替”から、“アドレスＮ”、“アドレスＬ”とその関係を示すステータス“交替”の構成に修正される。
【００４０】
図１０はスペアエリアを持たずに欠陥管理を行った場合のディスクの図である。光ディスクはリードイン、ユーザエリア（データエリア）、リードアウトに論理分割されているものとする。リードイン内のＤＭＡには、論理分割された各エリアの開始アドレス等の論理構造に関する情報が含まれるＤＤＳ、またデータエリア内の欠陥アドレスと交替アドレスのアドレスの対応を示す複数のＤＬからなるＤＬテーブルが記録される。図中にＤＬテーブルを構成するいくつかのＤＬを示す。各ＤＬには欠陥アドレス、交替処理によって割り当てられた交替アドレスが含まれる。ユーザエリアのアドレスＮが欠陥と判断された場合、上位装置によりアドレスＮに配置されたユーザデータは実際にはアドレスＭに記録される。ＤＬはこの情報を示すために“アドレスＮ”、“アドレスＭ”とその関係を示すステータスから構成され、ＤＬを重ね合わせてＤＬテーブルは構成される。また同様に“アドレスＮ＋１”から“アドレスＭ＋１”の交替処理が行われたことを示すＤＬ、交替先として用いようとしたアドレスＭ＋２が欠陥であったため“アドレスＮ＋２”から“アドレスＭ＋３”の交替処理が行われたことを示すＤＬもＤＬテーブルに含まれている。またこの場合においても交替アドレスとして割り当てられた“アドレスＭ”、“アドレスＭ＋１”及び“アドレスＭ＋２”のデータとして図１で示したカウンタ、処理前まで割り当てられていたアドレスを加えることでこれから説明と同様の効果を得ることができる。
【００４１】
つまり交替アドレスをスペアエリア内に配置することが本発明にとって重要であるわけではない。
【００４２】
図１３は、目的に応じて各エリアに論理分割された光ディスクの物理アドレスと上位装置の各種命令に含まれる論理アドレスの関係を示す図である。光ディスクはリードイン、データエリア、リードアウトに論理分割されているものとし、更にデータエリアは目的に応じてユーザエリアとスペアエリアに論理分割される。またリードイン、データエリアの開始物理アドレスはそれぞれＡ及びＢであり、リードアウトの終了物理アドレスはＣである。光ディスク上のユーザエリアにのみ論理アドレスは割り当てられ、ＤＬに登録が無い場合には論理アドレスｎに対し、物理アドレスＢ＋ｎが対応付けられる。ただし、ＤＬの欠陥アドレスとしてＢ＋ｎが登録されていた場合には論理アドレスｎには、そのＤＬに登録されたスペアエリア内の物理アドレスである交替アドレスが対応する。従ってユーザエリアの最終アドレスがＢ＋ａである場合には、論理アドレス空間として０からａが使用可能となる。
【００４３】
図１１は追記型光ディスクで行われる上書き取り消し処理を概略的に説明するためのディスクの図であり、合わせて上書き取り消し処理によるＤＬを示す図である。図９が示す状態の後、ユーザエリアのアドレスＮへの上書き処理を取り消す場合、スペアエリア内に記録されたアドレスLのデータに含まれる直前まで命令に含まれたこの論理アドレスに対応した光ディスク上の物理アドレスMに再度アドレスを割り付け直す。ＤＬはこの情報を示すために“アドレスＮ”、“アドレスL”とその関係を示すステータス“交替”から、再び“アドレスＮ”、“アドレスM”とその関係を示すステータス“交替”の構成に修正される。また図８の状態の後、ユーザエリアのアドレスＮへの上書き処理を取り消す場合、スペアエリア内に記録されたアドレスMのデータに含まれる直前まで命令に含まれたこの論理アドレスに対応した光ディスク上の物理アドレスNに再度アドレスを割り付け直すために、ＤＬはこの情報を示すためにＤＬテーブルから削除される。
【００４４】
しかしながら図１１が示す方法では上書き取り消し処理の後に、“上書き取り消しの取り消し処理”を行う場合、つまり再度ＤＬを元の “アドレスＮ”、“アドレスL”とその関係を示すステータス“交替”に復元するためにはアドレスM以降に使用されたスペアエリア内の記録済みの交替アドレスを再生し、データに含まれるカウンタ値、及び直前の交替アドレス値を用いてアドレスL探し出さなければならないといった手間がかかる。
【００４５】
そのため“上書き取り消しの取り消し処理”を効果的に行うために、図１２が示すような上書き処理を行う。
【００４６】
図１２は追記型光ディスクで行われる上書き取り消し処理を概略的に説明するためのディスクの図であり、合わせて上書き取り消し処理によるＤＬを示す図である。図９が示す状態の後、ユーザエリアのアドレスＮへの上書き処理を取り消す場合、スペアエリア内に記録されたアドレスＬのデータに含まれる直前まで命令に含まれたこの論理アドレスに対応した光ディスク上の物理アドレスＭに記録されたデータを再生し、そのユーザデータをスペアエリアのアドレスＫに記録する。このときスペアエリア内に記録されたアドレスＫのデータには図１で示したように過去に２回アドレスＮに対する上書き、及び１回の上書き取り消し処理が行われたことを示すためカウンタ値として１が、また直前まで命令に含まれたこの論理アドレスに対応した光ディスク上の物理アドレスを示すＬが含まれる。ＤＬはこの情報を示すために“アドレスＮ”、“アドレスＬ”とその関係を示すステータス“交替”から、“アドレスＮ”、“アドレスＫ”とその関係を示すステータス“交替”の構成に修正される。
【００４７】
この場合における上書き取り消し処理の後の“上書き取り消しの取り消し処理”を行う場合、つまり再度ＤＬを元の “アドレスＮ”、“アドレスＬ”とその関係を示すステータス“交替”に復元するために、通常の上書き取り消し処理同様にアドレスＫに記録されたデータに含まれるカウンタ値、及び直前の交替アドレス値が用いられる。
【００４８】
本追記型光ディスクにおける上書き処理は交替処理により実現される。しかしながらリアルタイム再生及び記録が要求されるファイルや光ディスク記録再生装置のセットアップ時間を短縮するために集中配置が必要となる管理ファイルに対し、本上書き処理が記録装置の判断にのみ行われるとファイルの配置が最適に行えないといった問題が生じる。
【００４９】
そのため、上位装置が上書き処理を適切に制御できる環境が必要となる。
【００５０】
そこで上位装置からの各種命令による上書き処理の制御方法について説明する。
【００５１】
図１４は記録命令と上書き命令によって上書き処理の制御を行うフロチャートを示している。記録命令及び上書き命令には対象とする論理アドレスが含まれており、記録命令に対し対応する物理アドレスが未記録であった場合には記録処理は行われるが、記録済であった場合、上位装置へエラーを報告する等の処理を経た後、記録処理は中止される。しかしながら上書き命令に対しては、対応する物理アドレスが未記録であった場合にはその物理アドレスへの記録処理は行われるが、記録済であった場合、スペアエリア内の次に使用される、つまり図５で説明したポインタＰが指し示す未記録の物理アドレスを新たに割り当てて、これに伴うＤＬテーブルの修正を行った後、この物理アドレスへ記録処理を実行する。
【００５２】
つまり上位装置が光ディスク記録装置による上書き処理を行わせる場合には上書き命令を使用し、上書き処理を行わせない場合には記録命令を使用する。
【００５３】
図１５は記録命令と消去命令によって上書き処理の制御を行うフロチャートを示している。記録命令及び消去命令には対象とする論理アドレスが含まれており、記録命令に対し対応する物理アドレスが未記録であった場合には記録処理は行われるが、記録済であった場合、上位装置へエラーを報告する等の処理を経た後、記録処理は中止される。また消去命令に対しては、対応する物理アドレスが未記録であった場合には論理アドレスに対応する物理アドレスの割り当ては行わないが、記録済であった場合、スペアエリア内の次に使用される、つまり図５で説明したポインタＰが指し示す未記録の物理アドレスをこの論理アドレスに新たに対応付け、これに伴うＤＬテーブルの修正を行う。
【００５４】
つまり上位装置が光ディスク記録装置による上書き処理を行わせる場合には消去命令を行った後、記録命令を使用し、上書き処理を行わせない場合には消去命令なしで記録命令のみを使用する。
【００５５】
図２１は追記型光ディスクで行われる交替処理による上書き処理を概略的に説明するためのディスクの図であり、合わせて消去処理によるＤＬを示す図である。各ＤＬにはユーザエリアの欠陥アドレス、交替処理によって割り当てられたスペアエリア内の交替アドレスが含まれる。ただし、本処理におけるユーザエリアにおける欠陥アドレスは上位装置の命令に含まれ、消去処理される論理アドレスに対応したユーザエリア内の元来の物理アドレスと言い換えることができる。図中、黒く塗りつぶされた場所はスペアエリア内の使用済エリアを示す。アドレスＭはスペアエリア内の次の交替位置を示すアドレスである。つまりこの状態ですでに記録済であるユーザエリアのアドレスＮのデータが消去される場合、次回の上位装置によるアドレスＮへの記録がスペアエリアのアドレスＭに行われるため、“アドレスＮ”、“アドレスＭ”とその関係を示すステータス“交替（未記録）”という情報から構成されるＤＬを新規にＤＬテーブルに追加、またはステータスとして“交替”で設定され、欠陥アドレスとしてすでに“アドレスＮ”を含むＤＬを修正する。このときアドレスMにはデータの記録は行われないため、対応する論理アドレスを再生する場合にはアドレスＮが未記録のときと同様のデータの再生またはエラーの報告が上位装置に行われる。またこの後行われる記録命令では、この論理アドレスに対応する物理アドレスは未記録であると判断され、スペアエリア内のアドレスＭにデータは記録され、ＤＬのステータスは通常の“交替”を示すものに変更される。
【００５６】
図１６は記録命令１と記録命令２によって上書き処理の制御を行うフロチャートを示している。記録命令１及び記録命令２には対象とする論理アドレスが含まれており、記録命令１に対し対応する物理アドレスが未記録であった場合にはその物理アドレスへの記録処理は行われるが、記録済であった場合、スペアエリア内の次に使用される、つまり図５で説明したポインタＰが指し示す未記録の物理アドレスを新たに割り当てて、これに伴うＤＬテーブルの修正を行った後、この物理アドレスへ記録処理を実行する。また記録命令２に対しては、対応する物理アドレスの状態にかかわらず、スペアエリア内の次に使用される未記録の物理アドレスを新たに割り当てて、これに伴うＤＬテーブルの修正を行った後、この物理アドレスへ記録処理を実行する。
【００５７】
つまり上位装置が光ディスク記録装置による通常の上書き処理を行わせる場合には記録命令１を使用し、上書き処理を強制的に行い、データをスペアエリア内に一括に配置したい場合には記録命令２を使用する。
【００５８】
図１９は上書き許可／不許可を示す情報を用いて上書き処理の制御を行うフロチャートを示している。記録命令及び上書き命令には対象とする論理アドレスが含まれており、上書きが禁止されている論理アドレスへの記録命令に対して、対応する物理アドレスが未記録であった場合には記録処理は行われるが、記録済であった場合、上位装置へエラーを報告する等の処理を経た後、記録処理は中止される。しかしながら上書きが許可されている論理アドレスへの記録命令に対しては、対応する物理アドレスが未記録であった場合にはその物理アドレスへの記録処理は行われるが、記録済であった場合、スペアエリア内の次に使用される、つまり図５で説明したポインタＰが指し示す未記録の物理アドレスを新たに割り当てて、これに伴うＤＬテーブルの修正を行った後、この物理アドレスへ記録処理を実行する。
【００５９】
つまり上位装置が光ディスク記録装置による上書き処理を行わせる場合には事前にそのアドレスを上書き許可エリアとして設定する。
【００６０】
図１７に上書き許可エリアを示すデータフレームの構成、データフォーマットの一例を示す。
【００６１】
２０４８バイトからなる各メインデータには、データ識別のための４バイトのデータ識別コード（ＩＤ）と、ＩＤの誤り検出符号である２バイトのＩＥＤ、１バイトのフラグと５バイトのリザーブデータが付加される。このデータ列の最後部には、データに含まれる誤りを検出する４バイトの誤り検出符号ＥＤＣが付加され、全部で２０６４バイトのデータフレームを構成する。
【００６２】
図１７の１バイトのフラグにはこのアドレスに対する上書き処理が許可されるか否かを示すフラグが記録時付加される。ただし上書き処理が許可されるか否かを示すフラグは実質的には１ビットで表現できるため、図１が示すカウンタまたは以前割り当てられていた物理アドレスの６バイト中に１ビットを割り当てることで先に説明した発明と組み合わせて使用することは可能である。また上書き許可エリアを上書き時に上書き禁止エリアに変換することはスペアエリア内に記録される上書きデータの上書き処理を許可するか否かを示すフラグの極性を変更することで可能である。
【００６３】
図１８はＤＤＳなどの領域に物理アドレス空間上の上書き禁止範囲を示す情報を記録する光ディスクを示す図である。リードイン内の欠陥管理情報エリアに含まれる論理分割された各エリアの開始アドレス等の論理構造に関する情報が含まれるＤＤＳに上書き禁止範囲設定リストテーブルが含まれる。上書き禁止範囲設定リストは論理アドレス空間に対応するユーザエリア内の物理アドレスを用いて定義される。例えば論理アドレスｄからｅまで上書き禁止範囲として上位装置が設定する場合、図１３で説明した論理アドレスと物理アドレスの関係を用いて上書き禁止範囲設定リストは“Ｂ＋ｄ”と“Ｂ＋ｅ”の情報を含むように構成される。
【００６４】
このＤＤＳなどの管理領域を用いた上書き処理を制御する方法は、図１７で示したユーザデータ内に上書き処理を許可するか否かのフラグを付加した制御方法に比べて、一度上書き禁止されたアドレスに対して再度上書きを許可することができるといったメリットがある。
【００６５】
図２０は記録命令に含まれるリアルタイム記録処理が要求されるか否かを示す情報を用いて上書き処理の制御を行うフロチャートを示している。記録命令にはリアルタイム記録処理が要求されるか否かを示す情報及び対象とする論理アドレスが含まれており、リアルタイム記録処理が要求されていない通常の記録命令に対して、対応する物理アドレスが未記録であった場合には記録処理は行われるが、記録済であった場合、スペアエリア内の次に使用される、つまり図５で説明したポインタＰが指し示す未記録の物理アドレスを新たに割り当てて、これに伴うＤＬテーブルの修正を行った後、この物理アドレスへ記録処理を実行する。しかしながらリアルタイム記録処理が要求されている論理アドレスへの記録命令に対しては、対応する物理アドレスが未記録であった場合にはその物理アドレスへの記録処理は行われるが、記録済であった場合、スペアエリア内の次に使用される、つまり図５で説明したポインタＰが指し示す未記録の物理アドレスへの割り当て、及びこれに伴うＤＬテーブルの修正のみを行い、実際に割り当てられた物理アドレスへ記録処理は実行されずに正常終了する。このとき発生するＤＬに用いられるステータスを図２１の消去命令時の“交替（未記録）”とすることで、対応する論理アドレスを再生する場合にはアドレスＮが未記録のときと同様のデータの再生またはエラーの報告が上位装置に行われる。
【００６６】
ただし、本発明の説明で用いた“交替（未記録）”のステータスを用いたＤＬは実際には交替エリアに実際のスペアエリア内の物理アドレスを割り付ける必要性はあまりなく、“交替（未記録）”のステータスを持つＤＬは交替アドレスとしてブランクを示すデータ、例えば０にしておき、記録時にステータスを交替に変換すると同時に実際のスペアエリア内の物理アドレスを割り付けることでスペアエリアの物理アドレスを有効に活用することも可能である。
【００６７】
次にここまで説明した追記型光ディスクの記録方法を実際に追記型光ディスク記録装置で実現するための手段を示す。
【００６８】
光ディスク記録装置の構成は図４に示した光ディスク記録再生装置の構成同様である。
図４中、４０１は光ディスク、４０２はレーザダイオード及び光検出器を搭載する光ヘッド、４０３は記録のための符号化処理と再生のための復号化処理を行う記録再生信号処理回路、４０４は各ブロックの動作管理を行う制御マイコン、４０５はサーボ回路、４０６はＲＡＭを含む上位装置とのインターフェース回路、４０７は入出力端子である。
【００６９】
記録時、入出力端子  ４０７を介して、外部の上位装置などからドライブ動作を指示する命令及び必要に応じてメインデータ等が入力される。従来同様に通常のドライブ動作で記録命令が入力された場合、制御マイコン  ４０５は記録命令に含まれる論理アドレスに対応する物理アドレスをＤＤＳに記録された各エリアのアドレス情報とＤＬを用いて求めだし、その物理アドレス領域は記録済か未記録かの判断を行う。その物理アドレスがすでに記録済であった場合には記録命令を発行した上位装置に対し、指定されたアドレスにデータを記録することは不可能であることを示すエラーを返す。その物理アドレスが未記録であった場合には、上位装置にデータ転送の指示が送られ、上位装置から転送されるメインデータは制御マイコン  ４０５の指示に応じて、インターフェース回路  ４０６内のＲＡＭに蓄えられる。それと同時に制御マイコン  ４０５は求められた物理アドレスへのシーク処理をサーボ回路  ４０５を用いて行い、記録再生信号処理回路  ４０３により、スクランブル処理、誤り訂正符号化処理、変調処理などの符号化処理が行われた後、光ヘッド  ４０２を介して、光ディスク  ４０１上の対象となる物理アドレス領域へ書き込み処理を行う。
【００７０】
ドライブによる上書き処理が行われる場合の記録命令（含む、上書き命令）が入力された場合、制御マイコン  ４０５は記録命令に含まれる論理アドレスに対応する物理アドレスを求めだし、その物理アドレス領域は記録済か未記録かの判断を行う。その物理アドレスがすでに記録済であった場合にはＤＬテーブルを修正して新たな物理アドレスの割り当てを行った後、上位装置にデータ転送の指示が送られ、上位装置から転送されるメインデータは制御マイコン  ４０５の指示に応じて、インターフェース回路  ４０６内のＲＡＭに蓄えられる。それと同時に制御マイコン  ４０５は求められた物理アドレスへのシーク処理をサーボ回路  ４０５を用いて行い、記録再生信号処理回路  ４０３により、スクランブル処理、誤り訂正符号化処理、変調処理などの符号化処理が行われた後、光ヘッド  ４０２を介して、光ディスク  ４０１上の対象となる新たに割り当てられた物理アドレス領域へ書き込み処理を行う。その物理アドレスが未記録であった場合には、上位装置にデータ転送の指示が送られ、上位装置から転送されるメインデータは制御マイコン  ４０５の指示に応じて、インターフェース回路  ４０６内のＲＡＭに蓄えられる。それと同時に制御マイコン  ４０５は求められた物理アドレスへのシーク処理をサーボ回路  ４０５を用いて行い、記録再生信号処理回路  ４０３により、スクランブル処理、誤り訂正符号化処理、変調処理などの符号化処理が行われた後、光ヘッド  ４０２を介して、光ディスク  ４０１上の対象となる物理アドレス領域へ書き込み処理を行う。
【００７１】
また光ディスク  ４０１上に記録された情報を用いて行われる上位装置からの各種命令に対する制御は制御マイコン  ４０５にて適切に判断され同様に行われる。
【００７２】
図１１及び図１２を用いて説明した上書き取り消し命令が上位装置から入力された場合には、制御マイコン  ４０５は上書き取り消し命令に含まれる論理アドレスに対応する物理アドレスをＤＤＳに記録された各エリアのアドレス情報から求めだし、ＤＬテーブル内から求められた物理アドレスが欠陥アドレスとして登録されたＤＬからその論理アドレスに最終的に対応付けられた物理アドレスを求めだす。制御マイコン  ４０５は求められた物理アドレスへのシーク処理をサーボ回路  ４０５を用いて行い、光ヘッド  ４０２を介して対象となる物理アドレス領域から読み出された再生信号は記録再生信号処理回路  ４０３により、復調処理などの符号化処理が行われて得られた復調データに含まれる情報、例えば図１で示したカウタン値や以前に対応付けられていた物理アドレス値を元にＤＬテーブルの修正や必要に応じて記録処理を行う。
【００７３】
図２１を用いて説明した消去命令が上位装置から入力された場合には、制御マイコン  ４０５は消去命令に含まれる論理アドレスに対応する物理アドレスをＤＤＳに記録された各エリアのアドレス情報やＤＦテーブル求めだし、その物理アドレス領域は記録済か未記録かの判断を行う。その物理アドレスがすでに記録済であった場合にはＤＬテーブル修正といった処理を行う。
【図面の簡単な説明】
【００７４】
【図１】上書き情報を有するデータフレームの構成を示した説明図である。
【図２】データフレームの構成を示した説明図である。
【図３】ＥＣＣブロックの構成を示した説明図である。
【図４】光ディスク記録再生装置の構成を示した説明図である。
【図５】欠陥管理機能を有する光ディスクを示した説明図である。
【図６】交替処理とＤＬを示した説明図である。
【図７】連続欠陥のＤＬを示した説明図である。
【図８】上書き処理とＤＬを示した説明図である。
【図９】上書き処理とＤＬを示した説明図である。
【図１０】欠陥管理機能を有する光ディスクを示した説明図である。
【図１１】上書き取り消し処理とＤＬを示した説明図である。
【図１２】上書き取り消し処理とＤＬを示した説明図である。
【図１３】光ディスウのアドレス空間を説明図である。
【図１４】記録命令及び上書き命令に対する動作を示すフロチャートである。
【図１５】記録命令及び消去命令に対する動作を示すのフロチャートである。
【図１６】記録命令１及び記録命令２に対する動作を示すのフロチャートである。
【図１７】上書き制御情報を有するデータフレームの構成を示した説明図である。
【図１８】上書き制御情報を有する光ディスクを示した説明図である。
【図１９】上書き制御情報に対する記録命令に対する動作を示すのフロチャートである。
【図２０】リアルタイム処理を要求する記録命令に対する動作を示すのフロチャートである。
【図２１】リアルタイム処理を要求される上書き処理とＤＬを示した説明図である。
【符号の説明】
【００７５】
４０１  光ディスク、４０２  光ヘッド、４０３  記録再生信号処理回路、４０４  制御マイコン、４０５  サーボ回路、４０６  インターフェース回路、４０７  入出力端子。
【図１】
2006024298.tif 000003
【図２】
2006024298.tif 000004
【図３】
2006024298.tif 000005
【図４】
2006024298.tif 000006
【図５】
2006024298.tif 000007
【図６】
2006024298.tif 000008
【図７】
2006024298.tif 000009
【図８】
2006024298.tif 000010
【図９】
2006024298.tif 000011
【図１０】
2006024298.tif 000012
【図１１】
2006024298.tif 000013
【図１２】
2006024298.tif 000014
【図１３】
2006024298.tif 000015
【図１４】
2006024298.tif 000016
【図１５】
2006024298.tif 000017
【図１６】
2006024298.tif 000018
【図１７】
2006024298.tif 000019
【図１８】
2006024298.tif 000020
【図１９】
2006024298.tif 000021
【図２０】
2006024298.tif 000022
【図２１】
2006024298.tif 000023